(57)【要約】      （修正有）【課題】通帳証書等の媒体の発行装置と、その媒体に印字処理を行う装置とを分離して構成し、使い勝手を向上させる。【解決手段】利用者の口座情報を管理し、媒体発行の指示と、その媒体の種別情報及び印字情報を送信するホストと、異種類の媒体毎の複数の収納部と、媒体の磁気情報の読書き部と、ホストから送信される発行すべき媒体の種別情報に基いて対象となる媒体の収納部を選択する制御部を有する媒体発行装置と、媒体発行装置から繰り出された媒体に書かれた情報を読み又は書く磁気ストライプ読書き部と、ホストから送信された印字情報を媒体に印字する印字部と、ホストから送信される媒体に関する情報を格納するメモリと、磁気ストライプ読書き部から取得された媒体の種別情報とメモリに格納されている種別情報とを照合して、受入れられた媒体の正否を判定する判定手段を有し、判定手段による判定の結果、正しい媒体に対して該印字部で印字する。【選択図】図１
2005025429.tif 000002
【特許請求の範囲】
【請求項１】
金融機関で印字を施して使用される媒体を発行して処理する媒体発行処理システムにおいて、
利用者の口座情報を管理すると共に、媒体の発行の指示及び発行される媒体に関する種別情報及び印字情報を含む情報を送信するホストと、該ホストから送信される発行指示および情報を受けるコントローラと、該コントローラに接続された媒体発行装置、及び発行された媒体に印字処理を施す印字処理装置を備え、
該媒体発行装置は、少なくとも磁気ストライプを備える通帳を含む、種類の異なった複数の媒体をそれぞれ収納する複数のホッパを備える収納部と、発行される媒体の磁気ストライプに情報の読み書きを行う磁気情報の読書き部と、ホストから送信される媒体の発行指示および発行すべき媒体の種別情報を含む情報を受け、該種別情報に基いて対象となる媒体が収納されているホッパを選択する手段を有する第１の制御部を有し、
該印字処理装置は、該媒体発行装置から繰り出された媒体を受入れ、該媒体の磁気ストライプに書かれた情報を読み又は書く磁気ストライプ読書き部と、ホストから送信された印字情報を媒体に印字する印字部と、ホストから送信される媒体に関する種別情報及び印字情報を含む情報を格納するメモリと、該磁気ストライプ読書き部から取得された媒体の種別情報と該メモリに格納されている種別情報とを照合して、受入れられた媒体の正否を判定する判定手段を有する第２の制御部を有し、
該判定手段による判定の結果、正しい媒体に対して該印字部で印字することを特徴とする媒体発行処理システム。
【請求項２】
前記媒体発行装置、及び印字処理装置は、操作者の指示を入力する共に、媒体の発行及び印字処理のステータス情報を表示する表示入力部を有することを特徴とする請求項１記載の媒体発行処理システム。
【請求項３】
前記印字処理装置は、ホストから媒体の発行指示を受信したら、その媒体に印字処理に関して、時間を計時する手段を有し、該計時手段が一定時間を計時する間に正しい媒体がセットされたことが判別できないときは、エラーとすることを特徴とする請求項１記載の媒体発行処理システム。
【請求項４】
前記メモリは、ホストから送信される媒体の種別情報及び印字情報を含む情報を取得する度に逐次格納しておき、媒体の磁気ストライプに保持する種別情報に対応する媒体の印字情報を該メモリから出力して、印字することを特徴とする請求項１記載の媒体発行処理システム。
【請求項５】
複数のコントローラが接続されるサーバを有し、かつコントローラにはそれぞれ媒体発行装置及び印字処理装置が接続されており、あるコントローラに接続された媒体発行装置から発行された媒体が、別のコントローラに接続された印字処理装置にセットされた場合、該サーバは該別のコントローラに接続された印字処理装置に印字を行わせるように制御することを特徴とする請求項１記載の媒体発行処理システム。
【請求項６】
金融機関で印字を施して使用される媒体を発行する媒体発行装置において、
少なくとも磁気ストライプを備える通帳を含む、種類の異なった複数の媒体をそれぞれ収納する複数のホッパを備える収納部と、
該収納部から繰り出される媒体を、前面に配置された発行口まで搬送する搬送路を備える搬送機構と、
搬送路上に設けられ、通帳の磁気ストライプに情報の読み書きを行う磁気情報の読書き部と、
外部から転送される媒体の発行指示および発行すべき媒体の種別情報を含む情報を受け、該種別情報に基いて対象となる媒体が収納されているホッパを選択する手段を有する制御部とを有し、
該選択手段によって選択されたホッパから繰り出された媒体が磁気ストライプを備えている場合、外部から転送された情報を該磁気情報の読書き部で該磁気ストライプに書き込んで、該媒体を該発行口に搬送することを特徴とする媒体発行装置。
【請求項７】
さらに、該発行口の近傍に、操作者による指示を入力する入力機能及び情報の表示機能を有する表示入力部を備え、前記制御部は、該表示入力部からの指示入力を受けると共に、少なくとも媒体の発行に関するガイダンスを表示させるように制御する手段を有することを特徴とする請求項６記載の媒体発行装置。
【請求項８】
前記制御部は、ホッパに収納される媒体の種別情報とホッパの位置を示すアドレスの関係を保持するテーブルを格納するメモリを有し、前記選択手段は外部から受信した情報に含まれる媒体の種別情報をキーとして該テーブルを参照して該当するホッパを決めることを特徴とする請求項６記載の媒体発行装置。
【請求項９】
複数のホッパは複数の段に分かれて配置されており、前記搬送路は、各段に配置されたホッパから繰り出される媒体を水平方向に搬送する第１の搬送路と、複数の該第１の搬送路に連絡し、媒体を垂直方向に搬送する第２の搬送路を有し、該第２の搬送路は装置の前面側に配置されることを特徴とする請求項６記載の媒体発行装置。
【請求項１０】
外部から転送される情報には、媒体を使用する利用者を特定する口座番号を示す情報を含み、該磁気情報の読書き部で口座番号を含む情報が該磁気ストライプに書き込まれることを特徴とする請求項６記載の媒体発行装置。
【請求項１１】
該装置の底面には移動させるためのキャスタが備えられ、かつ該装置の上面は平面部を有することを特徴とする請求項６又は９記載の媒体発行装置。
【請求項１２】
金融機関で印字を施して使用される媒体を発行して処理する媒体発行処理システムにおいて、
少なくとも磁気ストライプを備える通帳を含む、種類の異なった複数の媒体をそれぞれ収納する複数のホッパと、発行される媒体の磁気ストライプに情報の読み書きを行う磁気情報の読書き部を備える媒体発行装置を用意するステップと、
ホストから送信される、媒体を発行する指示及び発行する媒体に関する種別情報並びに印字情報を含む情報を媒体発行装置で受けるステップと、
取得した媒体の種別情報に基いて目的とする媒体が収納されているホッパを選択し、媒体を繰り出すステップと、
繰り出された媒体が磁気ストライプを有する場合、該磁気ストライプにホストから取得した、媒体の利用者に関する情報を書き込むステップと、
ホストから送信された媒体に関する種別情報及び印字情報を含む情報を印字処理装置で取得して保持するステップと、
印字処理装置にセットされた媒体の磁気ストライプ読書き部から得られた媒体の種別情報と、ホストから該保持された種別情報とを照合して、該媒体の正否を判定するステップと、判定の結果、正しいと判定された媒体に対して、該保持された印字情報を印字するステップと、
を有することを特徴とする媒体発行処理方法。
【請求項１３】
通帳や証書などの媒体を発行して処理する媒体発行処理システムにおいて、利用者の口座情報を管理すると共に、媒体の発行の指示及び発行される媒体に関する種別情報及び印字情報を含む情報を送信するホスト１と、
種類の異なった複数の媒体をそれぞれ収納する複数のホッパを備える収納部と、発行される媒体の磁気ストライプに情報の読み書きを行う磁気情報の読書き部と、該ホストから送信される媒体の発行指示および発行すべき媒体の種別情報を含む情報を受け、該種別情報に基いて対象となる媒体が収納されているホッパを選択する手段を有する媒体発行装置と、
該媒体発行装置から繰り出された媒体を受入れ、媒体の磁気ストライプに書かれた情報を読み又は書く磁気ストライプ読書き部と、該ホストから送信された印字情報を媒体に印字する印字部と、該ホストから送信される媒体に関する種別情報及び印字情報を含む情報を格納するメモリと、磁気ストライプ読書き部から取得された媒体の種別情報とメモリに格納されている種別情報とを照合して、受入れられた媒体の正否を判定する判定手段を有する印字処理装置とを含み、
該判定手段による判定の結果、正しい媒体に対して該印字部で印字する媒体発行処理システム。
【発明の詳細な説明】
【０００１】
【発明の属する技術分野】
本発明は媒体発行処理システムに係り、特に銀行や証券等の金融機関において、新たに発行する通帳や証書等の媒体に印字処理等を施す通帳や証書等の媒体の発行装置及びシステムに関する。
【０００２】
【従来の技術】
銀行の業務の省力化を図るために、通帳や証書を自動的に発行する装置が実用化されている。
例えば、特開平１０−１０５７９０号公報（特許文献１）には、未記入の通帳や証書のような複数種の媒体を収納部１，２に収納しておき、銀行の窓口業務係員の指示により収納部１，２から目的の媒体を搬送路４に繰り出して、通帳処理機構５で取引情報を印字し、磁気ストライプに記録読取りを行ってその通帳を発行する通帳証書発行装置が開示されている。
【０００３】
【特許文献１】
特開平１０−１０５７９０号公報
【０００４】
【発明が解決しようとする課題】
この通帳証書発行装置は、下段に配置された通帳等の収納部と、上段に配置された印字や磁気ストライプへの記録読取り処理を行う通帳処理機構とが一体的に構成されているために、必然的に装置が大型化する。このため、何処にでも配置できる所謂レイアウトフリーに関しては十分とは言えなかった。例えば、銀行の窓口のスペースは限りがあるので、発行装置の設置にも不十分な面があった。
また、収納部と処理機構部が一体的な構成であるために、装置の価格も高価格となっていた。
【０００５】
本発明の目的は、通帳証書類の媒体を発行する発行装置と、それらの媒体に対して印字等の情報処理を行う処理装置とを分離して構成し、使い勝手を改善した通帳証書取扱システムを提供することにある。
【０００６】
【課題を解決するための手段】
本発明による媒体発行処理システムは、金融機関で印字を施して使用される媒体を発行して処理する媒体発行処理システムにおいて、利用者の口座情報を管理すると共に、媒体の発行の指示及び発行される媒体に関する種別情報及び印字情報を含む情報を送信するホストと、ホストから送信される発行指示および情報を受けるコントローラと、コントローラに接続された媒体発行装置、及び発行された媒体に印字処理を施す印字処理装置を備え、媒体発行装置は、少なくとも磁気ストライプを備える通帳を含む、種類の異なった複数の媒体をそれぞれ収納する複数のホッパを備える収納部と、発行される媒体の磁気ストライプに情報の読み書きを行う磁気情報の読書き部と、ホストから送信される媒体の発行指示および発行すべき媒体の種別情報を含む情報を受け、種別情報に基いて対象となる媒体が収納されているホッパを選択する手段を有する第１の制御部を有し、印字処理装置は、媒体発行装置から繰り出された媒体を受入れ、媒体の磁気ストライプに書かれた情報を読み又は書く磁気ストライプ読書き部と、ホストから送信された印字情報を媒体に印字する印字部と、ホストから送信される媒体に関する種別情報及び印字情報を含む情報を格納するメモリと、磁気ストライプ読書き部から取得された媒体の種別情報とメモリに格納されている種別情報とを照合して、受入れられた媒体の正否を判定する判定手段を有する第２の制御部を有し、判定手段による判定の結果、正しい媒体に対して印字部で印字するように構成される。
【０００７】
好ましい例では、前記媒体発行装置及び印字処理装置は、操作者の指示を入力する共に、媒体の発行及び印字処理のステータス情報を表示する表示入力部を有する。
また、前記印字処理装置は、ホストから媒体の発行指示を受信したら、その媒体に印字処理に関して、時間を計時する手段を有し、計時手段が一定時間を計時する間に正しい媒体がセットされたことが判別できないときは、エラーとする。
【０００８】
また他の例として、前記メモリは、ホストから送信される媒体の種別情報及び印字情報を含む情報を取得する度に逐次格納しておき、媒体の磁気ストライプに保持する種別情報に対応する媒体の印字情報をメモリから出力して、印字することができる。
更に他の例として、複数のコントローラが接続されるサーバを有し、かつコントローラにはそれぞれ媒体発行装置及び印字処理装置が接続されており、あるコントローラに接続された媒体発行装置から発行された媒体が、別のコントローラに接続された印字処理装置にセットされた場合、サーバは別のコントローラに接続された印字処理装置に印字を行わせるように制御する。
【０００９】
本発明にかかる媒体発行装置は、少なくとも磁気ストライプを備える通帳を含む、種類の異なった複数の媒体をそれぞれ収納する複数のホッパを備える収納部と、収納部から繰り出される媒体を、前面に配置された発行口まで搬送する搬送路を備える搬送機構と、搬送路上に設けられ、通帳の磁気ストライプに情報の読み書きを行う磁気情報の読書き部と、外部から転送される媒体の発行指示および発行すべき媒体の種別情報を含む情報を受け、種別情報に基いて対象となる媒体が収納されているホッパを選択する手段を有する制御部とを有し、選択手段によって選択されたホッパから繰り出された媒体が磁気ストライプを備えている場合、外部から転送された情報を磁気情報の読書き部で該磁気ストライプに書き込んで、媒体を発行口に搬送するように構成される。
【００１０】
好ましい例では、上記媒体発行装置は、発行口の近傍に、操作者による指示を入力する入力機能及び情報の表示機能を有する表示入力部を備え、制御部は、表示入力部からの指示入力を受けると共に、少なくとも媒体の発行に関するガイダンスを表示させるように制御する手段を有する。
【００１１】
また、前記制御部は、ホッパに収納される媒体の種別情報とホッパの位置を示すアドレスの関係を保持するテーブルを格納するメモリを有し、前記選択手段は外部から受信した情報に含まれる媒体の種別情報をキーとして該テーブルを参照して該当するホッパを決める。
【００１２】
また、好まし例では、複数のホッパは複数の段に分かれて配置されており、前記搬送路は、各段に配置されたホッパから繰り出される媒体を水平方向に搬送する第１の搬送路と、複数の第１の搬送路に連絡し、媒体を垂直方向に搬送する第２の搬送路を有し、第２の搬送路は装置の前面側に配置される。
【００１３】
外部から転送される情報には、媒体を使用する利用者を特定する口座番号を示す情報を含み、該磁気情報の読書き部で口座番号を含む情報が磁気ストライプに書き込まれる。
更に好ましい例では、この媒体発行装置の底面には移動させるためのキャスタが備えられ、この装置の上面は平面部を有する。
【００１４】
また本発明は、方法の発明としても把握される。
即ち、金融機関で印字を施して使用される媒体を発行して処理する媒体発行処理システムにおいて、少なくとも磁気ストライプを備える通帳を含む、種類の異なった複数の媒体をそれぞれ収納する複数のホッパと、発行される媒体の磁気ストライプに情報の読み書きを行う磁気情報の読書き部を備える媒体発行装置を用意するステップと、ホストから送信される、媒体を発行する指示及び発行する媒体に関する種別情報並びに印字情報を含む情報を媒体発行装置で受けるステップと、取得した媒体の種別情報に基いて目的とする媒体が収納されているホッパを選択し、媒体を繰り出すステップと、繰り出された媒体が磁気ストライプを有する場合、磁気ストライプにホストから取得した、媒体の利用者に関する情報を書き込むステップと、ホストから送信された媒体に関する種別情報及び印字情報を含む情報を印字処理装置で取得して保持するステップと、印字処理装置にセットされた媒体の磁気ストライプ読書き部から得られた媒体の種別情報と、ホストから保持された種別情報とを照合して、媒体の正否を判定するステップと、判定の結果、正しいと判定された媒体に対して、保持された印字情報を印字するステップとを有する。
【００１５】
【発明の実施の形態】
以下、図１〜６を参照して、本発明の一実施例について説明する。
図１は本発明の一実施例による、通帳証書発行装置及び印字処理装置等を含むシステム全体の構成を示す図である。
【００１６】
ホストコンピュータ（以下単にホストと言う）１は、処理装置及び大容量の記憶装置を備えており、預金者の預金管理のためのデータ処理全般を行う。実施例において、ホスト１は通帳や証書の発行の指示を行う。ホスト１にはサーバ２が接続され、ホスト１から送信されるデータを中継して、コントローラ３に転送する。サーバ２及びそれ以降に接続される機器は、例えば銀行の支店ごとに配置される、と想定してよい。このサーバ２には複数のコントローラ３が接続され、コントローラ３には、その配下に複数の通帳証書発行装置４及び印字処理装置５が接続される。これらの装置４，５の詳細は後述される。尚、通帳証書発行装置４はコントローラ３に直接接続されてもよいし、印字処理装置５を介して接続されてもよい。
【００１７】
ここで、ホスト１の記憶装置には、通帳や証書の発行に必要な情報、具体的には発行対象となる個人や会社等利用者の名前、口座番号、開設口座の種類（普通、総合、定期、当座、証書等）、預金金額、開設の日付等の情報が格納される。また、通帳や証書を識別するための識別情報や、通帳の各頁の印字情報、磁気ストライプの記憶情報も格納される。更に利用者の取引きの都度に残高情報を逐次データとして管理するために格納する。
【００１８】
図２及び図３は、通帳証書発行装置の構成を示す図であり、図２は装置全体の配置構成を示し、図３は制御ブロックを示す。
【００１９】
図２において、複数種類の通帳や証書の媒体１０は通帳証書収納部１３にそれぞれ収納される。収納部１３は３段構造で、それぞれ複数のホッパ２１，２２から構成される。上段のホッパ２１は、３つのホッパ２１１，２１２，２１３から成り、それぞれ種類の異なった証書１０２を収納する。証書としては、例えば定期証書、為替証書などが収納される。中段及び下段のホッパ２２は、それぞれ４つずつのホッパ２２１〜２２４からなり、それぞれ種類の異なった通帳１０１を収納する。通帳としては、総合通帳、積立通帳、年金通帳などが収納される。これらのホッパの出口にはローラが配置され、矢印ｈ方向に媒体１０を搬送路１４へ送り出す。
【００２０】
搬送路１４にはローラ（図示せず）が配置され、そのローラにより媒体１０を発行口１２へと向かって矢印ｇ方向に搬送する。発行口１５の手前の搬送路上には磁気ストライプ読書き部１２が配置され、通帳などの磁気ストライプの情報を記録、読取りする。発行口１５にはローラが配置されており、発行された媒体１０を銀行員が抜取るまでの間、その媒体１０を挟んで保持する。また、発行口１５にはセンサ（図示せず）が配置され、媒体１０が抜き取られたことを光学的に検知して、制御部１８へ知らせる。
【００２１】
発行口１５の上面には、例えばタッチパネルのような表示入力部１１が設けられ、発行装置４の状態表示をしたり、各種指示入力を行う。例えば銀行員により指示入力されて媒体１０を選択し、搬送の制御の指示等を行う。
【００２２】
図３の制御ブロック図において、制御部１８には、表示入力部１１、発行口機構１５´、収納機構１３´、搬送機構１４´、及び磁気ストライプ読書き部１２が接続される。これら発行口機構１５´、収納機構１３´、搬送機構１４´とは、発行口１５、収納部１３、搬送路１４に配置されたローラなどの駆動系を指し、制御部１８からの制御により駆動されて、媒体１０を搬送する。制御部１８は各ユニットを制御する。とりわけ、収納機構１３´の中から指定されたホッパ２１，２２のローラの駆動系に信号を送り、ローラを駆動して媒体を繰り出す。
【００２３】
また、制御部１８には、装置の各ユニットに電源を供給する電源部１６、及びインターフェース部１６が接続され、このインタフェース部１６を介してコントローラ３と情報の送受信を行う。
【００２４】
制御部１８は、メモリ（図示せず）を有し、収納部１３にある複数のホッパ２１，２２を特定するアドレスに対応して、そこに収納される通帳や証書の種類を特定する識別情報がテーブルとして記憶される。従って、コントローラ３から送信される情報に含まれる媒体の識別情報をキーとして、メモリに記憶されている識別情報／ホッパのアドレスの対からホッパを特定し、そのホッパの出口にあるローラを有する収納機構１３´を駆動して、指定された媒体を搬送路１４に繰り出す。
【００２５】
図４は、印字処理装置５の構成を示す図である。
印字処理装置５は、通帳証書発行装置４から繰り出された媒体１０に対して印字処理等を行う。媒体１０は挿入排出部４１にセットされ、また内部で印字処理が施された媒体１０はここに排出される。挿入排出部４１には搬送路４２が連結し、媒体１０を内部に搬送し、また排出方向に搬送する。
【００２６】
搬送路４２上には、媒体１０に印字処理を行う印字部４３、磁気ストライプ情報の読取や書込みを行う磁気ストライプ読書き部１２、通帳１０１の表紙や中紙の捲りを行う頁替え部４４、及び媒体１０に印刷されたバーコードや印字済の情報を読み取り等を行うイメージ読み取り部４５が配置される。
また、これらの各ユニットを制御するための制御部４０が設けられる。尚、図示されていないが、印字処理装置５の状態表示、及び、各種指指示入力を行う為の表示入力部が設けられてもよい。
【００２７】
このような構成の通帳証書発行装置４及び印字処理装置５を有するシステムにおいて、コントローラ３は、通帳証書発行装置４の制御部１８に対して、発行すべき通帳や証書の媒体の繰出し指令を発する。通帳証書発行装置４から媒体を正常に繰出して処理を完了した旨のレスポンスを受け取ったら、印字処理装置５の制御部４０に対して印字処理を行う指令を発する。コントローラ３はまた、配下の通帳証書発行装置４及び印字処理装置５の動作ステータスの管理を行える。発行及び印字のステータスは各装置の表示入力部に表示される。行員はその表示内容を見て、次にやるべき仕事の内容を確認できる。また、障害発生時には、障害が発生した装置から送信される情報を表示入力部に表示することもできる。
上記した構成で特徴的なことは、従来（例えば特許文献１）の通帳発行装置のように、通帳収納部の上に印字装置を配置した構成ではないので、発行装置４の上面を平面とすることができ、この発行装置４が全体的にコンパクトになり、例えば机の下に収容し易くなる。この装置４の底面にキャスタを設ければ、各所に移動して配置できる。上面が平面なので、物の載台としても利用できる。
【００２８】
また従来のように、印字装置にスタッカを設ける必要性から、通帳の搬送路は必然的に装置の背後に配置しなければならなかった。しかし、本実施例によれば、印字装置を別の装置として構成としたので、印字装置にスタッカを設ける必要も無い。そのため、搬送路１４を装置の背後から発行口１５に導く必要が無く、むしろ積極的に装置の全面側に案内することにより、全体的に搬送路１４の長さを短くできる。これにより媒体の搬送時間が短縮され、発行時間を短縮できる。
【００２９】
次に、図５に示すフローチャートを参照して、媒体の発行及び印字処理について説明する。
【００３０】
まず、ホスト１からサーバ２を介してコントローラ３に新規通帳２７の発行指示が送られる（Ｓ５０１）。新規通帳の発行は、印字処理装置５において、過去に使用していた通帳の印字が満杯になり、それでもなお印字すべきデータが在る場合にホスト１から指示されて行われる。尚、通帳証書発行装置４から行員が指示入力することによっても新規の通帳の発行指示される。
ホスト１からコントローラ３へは、通帳等の媒体の発行指示と、発行のために必要な情報が送信される。
【００３１】
図６に、ホスト１からコントローラ３へ送信されるデータのフォーマットを示す。
【００３２】
発行すべき媒体が普通と定期の２科目通帳の場合、その送信データには、磁気ストライプ情報６１、種別情報６２、表紙印字データ６３、見返し印字データ６４、普通印字データ６５、定期印字データ６６が含まれる。
【００３３】
磁気ストライプ情報６１は通帳の磁気ストライプに記録される情報であり、利用者個人を特定する情報、及び取引口座を特定する情報を含む。種別情報６２は発行すべき媒体を識別すための情報である。通帳や証書にはそれらを識別するためにそれぞれ異なるコードが付与されているので、この識別情報により発行すべき媒体を特定する。表紙印字データ６３、及び見返し印字データ６４は、通帳の表紙及び見返し頁に印字される情報である。また、発行される通帳が２科目通帳である場合には、印字内容となる普通印字データ６５及び定期印字データ６６が含まれる。
【００３４】
尚、これらのフォーマットのデータは、未記帳分のデータを全て含んで構成されてもよいが、印字される頁単位に構成されてもよい。
また、発行される媒体が例えば定期証書の場合には、上記の識別情報６２が相違し、表紙印字データ６３、見返し印字データ６４、普通印字データ６５等のデータは含まれないことが理解されよう。
【００３５】
さて、説明を再び図５に戻して、コントローラ３がホスト１から通帳の発行指示及び図６のフォーマットのデータを受信すると、コントローラ３は印字処理装置５に対して、ホスト１から受領した新規通帳の発行のために必要なデータ、及び通帳の発行指示を送る（Ｓ５０２）。
【００３６】
この時、通帳証書発行装置４がホスト１からの情報を得る方法は、以下の通りである。コントローラ３から、印字処理装置５へ送られる通帳の発行ためのデータを、通帳証書発行装置４のインタフェース部１７を介して取得し、制御部１８にてそのデータから必要なフォーマットの部分、即ち媒体の種別情報６２を解読する。その解読結果に基づき、制御部１８は自ら保持しているテーブルを参照して、識別情報によって特定された通帳が保管されているホッパ２２のアドレスを知る。そして、そのアドレスに対応してホッパ２２の収納機構１３´及び搬送路機構１４´を駆動する。これにより指定された通帳１０１がホッパ２２から繰り出されて、搬送路１４上を矢印ｇ方向に搬送される（Ｓ５０３）。
【００３７】
この方法によれば、コントローラ３は通帳証書発行装置４の接続を意識しないで、ホスト１からの情報を印字処理装置に送信できる。しかもコントローラ３から印字処理装置５に送信されるデータから、通帳証書発行装置４が必要な情報を取得して、解読することにより媒体を発行させるように制御することにより、システムの多くの部分を変更しないで、本実施例を比較的容易に適用できる。
【００３８】
さて、ホッパ２２から繰り出されて搬送路１４を搬送される新規の通帳は、磁気ストライプ読書き部１２を通過する時に、通帳のストライプにはホスト１から送信された、発行される通帳に関する詳細な情報、即ちその口座番号、利用者名、取引内容の情報が書き込まれる。そしてその通帳は発行口１５へ搬送される（Ｓ５０４）。発行口１５で通帳はローラに挟まれた状態で保持され、行員の抜取りを待つ。
【００３９】
そして、通帳証書発行装置４の発行口１５に保持されている通帳は、行員により抜取られ、印字処理装置５の挿入排出部４１にセットされる（Ｓ５０５）。以降、印字処理装置５での印字処理に移る。尚、通帳証書発行装置４の発行口１５から通帳が抜き取られたことが検知されると、それを契機に通帳証書発行装置４の通帳の有り高管理等を更新して最新の状態にする。
【００４０】
印字処理装置５の挿入排出部４１にセットされた通帳１０は、吸引されて搬送路４２を搬送し、磁気ストライプ読書き部１２を通過する。このとき、通帳の磁気ストライプに記録された情報が読まれて、制御部４０へ送られる。そして制御部４０で発行対象の通帳が正しいか否かの判定が行われる（Ｓ５０６）。
【００４１】
即ち、制御部４０では、前述したようにコントローラ３から図６に示す情報が送られており、発行対象の媒体の種別情報をメモリ内に保持している。このメモリに保持している種別情報と、磁気ストライプから読まれた情報とを比較照合することにより発行された通帳の正否を判定できる。
【００４２】
この判定の結果、もし正しい通帳でないときには、取り込まれたその通帳を挿入排出部４１に搬送して、排出する（Ｓ５０７）。この場合、印字処理装置５又はコントローラ３の表示入力部には、通帳のセット誤りである旨、及び正しい通帳のセットを促す旨のガイダンス表示をする（Ｓ５０８）。この表示に対して、行員は正しい通帳を捜して、再び挿入排出部４１にセットする。
【００４３】
次の通帳も同じように磁気ストライプの情報が読まれ、同様にして正否が判定される（Ｓ５１１）。銀行の行員の机上には複数の顧客に亘る何種類かの通帳が置かれることが多々あり、通帳のセット誤りは起こり得ることである。
【００４４】
このようにして、もし正しい通帳が規定時間内にセットされて判定されなければ、タイマー監視によりタイムオーバーとなる（Ｓ５１２）。この場合、印字処理装置の表示入力部には、タイムオーバーによるエラー表示がなされる（Ｓ５１３）。そして異常処理終了とする（Ｓ５１４）。
【００４５】
一方、規定時間内に正しい通帳がセットされたことが判定されると、その通帳は印字部４３に搬送されて、印字データが印字される（Ｓ５０９）。印字データは、図６に示す、表紙印字データ６３〜定期印字データ６６の該当するデータであり、コントローラ３から送信されて、制御部４０のメモリ内に格納されている。
【００４６】
尚、通帳の頁への印字の途中で、頁替えの必要があるときは、通帳は搬送路４２上を頁替え部４４へ送られ、そこで表紙や中紙の捲り改頁される。また改頁した後、頁が正しいか否かは、各頁の端部に印刷されたバーコードをイメージ読み取り部１１で光学的に読取り、その結果を制御部４０で判定することにより行う。
印字が済むと、その通帳は磁気ストライプ読書き部１２に搬送され、そこで、取引情報、及び更新された残高情報等が磁気ストライプに書き込まれる（Ｓ５０９）。
【００４７】
その後、通帳は搬送路４２上を挿入排出部４１へ搬送されて、放出される（Ｓ５１０）。そして、印字処理装置５の制御部４０からコントローラ３に対して指定された通帳の発行、印字の処理が完了したことが報告される（Ｓ５１５）。その完了報告は、サーバ２を介してホスト１に送信される。これによりホスト１は指定した通帳の発行に関する一連の処理が完了したことを認識する。
【００４８】
尚、発行される媒体１０に磁気ストライプを有しない場合には、それへの書き込み及び読み出しが行われない。また、ステップＳ５０５〜Ｓ５１１の判定も行われないことが理解される。
【００４９】
図７は他の実施例による通帳発行の処理のフローチャートを示す図である。
この例は、複数のコントローラ３１、３２、及びコントローラ３１，３２に接続されるそれぞれの通帳証書発行装置５１，５２、及び印字処理装置４１，４２があることを前提にして、これらの複数の装置を上手く利用して、繰り出された通帳の印字処理を他方の印字処理装置で行う、所謂代行印字処理の方法が説明される。
【００５０】
即ち、上述の実施例においては、行員は繰り出された通帳をコントローラ３１側の印字処理装置４１にセットするわけであるが、印字処理装置４１が故障や保守中であったり、又は他の行員との共用で使用中であったりする場合には、他のコントローラ３２に接続された印字処理装置４２を利用して印字処理する方が便利である。
【００５１】
さて図７において、サーバ２は、当初コントローラ３１に通帳発行要求を発し（Ｓ１）、コントローラ３１側の通帳証書発行装置４１を使用して、指定した通帳を繰り出させる（Ｓ２）。行員はその通帳を印字処理装置２にセットする（Ｓ３）。このとき、印字処理装置４２における判定の結果は（Ｓ５０６）、通帳のセット誤りとなり、その旨が表示される（Ｓ４）。更にコントローラ３２からサーバ２へは、通帳発行の代行処理要求が送られる（Ｓ５）。この代行処理要求は印字処理装置５２から指示入力することで行える。
【００５２】
サーバ２ではこの要求に対して、他の印字処理装置５１へ通帳発行要求を出したことがあるかチェックする。もし要求を出したことが確認されると、印字処理装置５１に対してその要求の取消しを指示する（Ｓ６）。そして、コントローラ３２に対して代行要求を許可し（Ｓ７）、サーバ２内のメモリに保持していた、図６に示す情報を印字処理装置５２へ送る。印字処理装置５２では、セットされた通帳に対して印字処理を施す（Ｓ８）。尚、印字処理等の詳細は図５を参照した動作と同様であるので、説明は省略する。
【００５３】
以上、本発明の実施例について説明したが、本発明は上述の実施例に限定れずに、種々変形して実施し得る。
【００５４】
上記実施例によれば、コントローラ３から印字処理装置５に送信されるデータから、通帳証書発行装置４が必要な情報を取得して、解読することにより媒体を発行させる方法を用いているが、他の手法として例えば、コントローラ３のソフトウェアを一部変更し、印字処理装置５及び通帳証書発行装置４の両装置の接続を意識するように制御し、ホスト１からの媒体発行の指示及び必要な情報を両方の装置に送信するようにしてもよい。通帳証書発行装置４では受信した情報に基づいて、指定された通帳繰出す。この方法によれば、システム上の若干の変更を伴うが、装置を操作するオペレータに対して、コントローラ３からの情報から通帳証書発行装置４における発行管理や各種ガイダンスを得られるので、より利便性のあるセキュリティの高いシステムを構築できる。
【００５５】
また、上記した通帳証書発行装置４では、媒体１０の発行時に磁気ストライプ読書き部１２で通帳の磁気ストライプに必要な情報が記録されるが、他の例としては、この磁気ストライプ読書き部１２で情報を記録しないで、媒体を発行し、一方、印字処理装置５の磁気ストライプ読書き部１２で必要な情報を磁気ストライプに記録するようにしてもよい。このやり方でも新規媒体の発行管理ができる。
【００５６】
更に他の変形例として、図５に示したステップＳ５１２〜Ｓ５１４は省略し、かつ、媒体の発行要求の順番に関係なく、媒体の印字処理を行うことできる。行員は、繰り出された媒体１０を複数まとめてバッチで印字処理する場合もあり、これに応えるものである。
【００５７】
例えば、サーバ２はホスト１から受信した図６のデータを受信する度に順次メモリ内に格納しておく。通帳証書発行装置４に対しては、ホスト１から発行指令を受信する度に上述した図５のＳ５０１〜Ｓ５０２に関する媒体１０の繰り出しを行う。しかし、この場合、繰り出された媒体１０が規定時間内に、印字処理装置５にセットされることを期待しない。
【００５８】
行員は繰り出された媒体１０のうちから任意なものを印字処理装置５にセットすると、磁気ストライプ読書き部１２で読まれたその媒体１０の磁気ストライプ情報をキーとして、コントローラ３はサーバ２のメモリに格納された複数の媒体に関する印字情報のうちから磁気ストライプ情報の一致する情報（図６）をコントローラ３を経由して印字処理装置５に送信する。そして、印字処理装置５では受信した印字データをセットされた媒体に印字する。その他の処理は図５に示す処理動作と同様であると理解してよい。
【００５９】
サーバ２はコントローラ３を介して処理完了報告を受信すると、メモリに格納している当該媒体発行に関する印字データに対応したエリアに完了の旨のフラグを記憶して、ホスト１に完了報告を送信する。
【００６０】
以上、本実施例によれば、レイアウトフリーで利便性に優れ、大幅なシステムの変更をすることなく、比較的容易に低価格で、通帳や証書の発行処理が可能な通帳証書発行システム、及び通帳証書発行装置を得ることができる。
【００６１】
【発明の効果】
本発明によれば、通帳証書等の媒体を発行する発行装置と、その媒体に対して印字処理を行う印字処理装置とを分離して構成することにより、使い勝手が向上した通帳証書取扱システムを得ることができる。
【図面の簡単な説明】
【図１】本発明の一実施例による通帳証書処理システムの構成を示す図。
【図２】本発明の一実施例による通帳証書処理システムにおける通帳証書発行装置の構成を示す図。
【図３】本発明の一実施例による通帳証書発行装置の制御ブロックを示す図。
【図４】本発明の一実施例による通帳証書処理システムにおける印字処理装置の構成を示す図。
【図５】本発明の一実施例による媒体の発行処理の動作フローチャートを示す図。
【図６】ホスト１からコントローラ３へ送信されるデータのフォーマットを示す図。
【図７】他の実施例による通帳発行の処理のフローチャートを示す図。
【符号の説明】
１：ホストコンピュータ、      ２：サーバ、          ３：コントローラ、
４：通帳証書発行装置、        ５：印字処理装置、
１０：媒体                    １１：表示入力部
１２：磁気ストライプ読書き部
１３：収納部                  １４：搬走路          １５：発行口
１８：制御部                  ２１，２２：ホッパ
４１：挿入排出部              ４２：搬送路          ４３：印字部
４４：頁替え部                ４５：イメージ読み取り部
【図１】
2005025429.tif 000003
【図２】
2005025429.tif 000004
【図３】
2005025429.tif 000005
【図４】
2005025429.tif 000006
【図５】
2005025429.tif 000007
【図６】
2005025429.tif 000008
【図７】
2005025429.tif 000009